(57)【要約】【課題】筐体とハーフミラーとレンズ取付部とで囲まれた空間内を開閉構造として、塵埃の侵入を防ぐ。【解決手段】ハーフミラー２の全周には取付枠体７が周設され、筐体１はミラー取付部８が隙間なく取り付けられている。取付枠体７はミラー取付部８に重ねられて固定され、取付枠体７とミラー取付部８の間には、シール部材１０が隙間なく挟み込まれている。レンズ５の取付部４の周囲には遮光リング１１が取り付けられ、レンズ取付部４はレンズ５と遮光リング１１によって遮蔽され、ハーフミラー２とレンズ５との間に外部から光が入射することを防止している。  この構成により、筐体１とハーフミラー２とレンズ５によって囲まれた空間を閉塞された空間とすることができ、プロンプタ装置の内部への塵埃の侵入を防止することができる。【選択図】図１
2011044777.tif 000002
【特許請求の範囲】
【請求項１】
筐体にハーフミラーとモニタとを固定し、前記筐体に前記ハーフミラーに対向してレンズを取り付けるレンズ取付部を有するプロンプタ装置において、前記ハーフミラーは前記筐体に対しシール部材を介して固定し、更に前記レンズ取付部を遮蔽構造とすることにより、前記筐体と前記ハーフミラーと前記レンズ取付部により囲まれた空間を閉塞された空間とすることを特徴とするプロンプタ装置。
【請求項２】
前記レンズ取付部に防塵部材として機能する光学部材を設けたことを特徴とする請求項１に記載のプロンプタ装置。
【請求項３】
前記光学部材は前記筐体に対し着脱可能であることを特徴とする請求項２に記載のプロンプタ装置。
【請求項４】
前記レンズ取付部から前記レンズを取り外した際に、前記レンズ取付部を移動可能の可動板により遮蔽することを特徴とする請求項１に記載のプロンプタ装置。
【請求項５】
前記筐体の内部に向けて空気を送り込む送風手段を有することを特徴とする請求項１〜４の何れか１つの請求項に記載のプロンプタ装置。
【発明の詳細な説明】
【技術分野】
【０００１】
本発明は、テレビレンズを有するプロンプタ装置に関するものである。
【背景技術】
【０００２】
テレビ放送のキャスタや講演等の講演者が使用する従来のプロンプタ装置は、防塵機能を持っておらず、レンズを外した状態ではレンズ取付部が開口している。また、特許文献１で示すように遮光対策のカバーが、レンズ取付部を簡易的に閉塞している場合もある。
【先行技術文献】
【特許文献】
【０００３】
【特許文献１】特開平１１−１０１９３１号公報
【発明の概要】
【発明が解決しようとする課題】
【０００４】
しかしながら、従来技術によればミラーの内側に侵入した塵埃が付着し易く、異物の画像への映り込み、光量むら、フレアを除去するためには、装置の頻繁な分解掃除を必要とするなどの問題がある。
【０００５】
本発明の目的は、上述の問題点を解消し、内部への塵埃等の侵入を防止できるプロンプタ装置を提供することにある。
【課題を解決するための手段】
【０００６】
上記目的を達成するための本発明に係るプロンプタ装置は、筐体にハーフミラーとモニタとを固定し、前記筐体に前記ハーフミラーに対向してレンズを取り付けるレンズ取付部を有するプロンプタ装置において、前記ハーフミラーは前記筐体に対しシール部材を介して固定し、更に前記レンズ取付部を遮蔽構造とすることにより、前記筐体と前記ハーフミラーと前記レンズ取付部により囲まれた空間を閉塞された空間とすることを特徴とする。
【発明の効果】
【０００７】
本発明に係るプロンプタ装置によれば、塵埃等の内部への侵入及びミラー裏面への付着を防止でき、異物の画像への映り込み、光量むら、フレアが解消され、専門技術を要する塵埃除去作業が不要となる。
【図面の簡単な説明】
【０００８】
【図１】実施例１の断面図である。
【図２】実施例１の要部断面図である。
【図３】実施例２の断面図である。
【図４】実施例３の断面図である。
【図５】実施例４のレンズ挿入前の状態の断面図である。
【図６】実施例４のレンズ挿入時の状態の断面図である。
【図７】実施例５の断面図である。
【図８】実施例５の正面図である。
【図９】実施例６の断面図である。
【発明を実施するための形態】
【０００９】
本発明を図示の実施例に基づいて詳細に説明する。
【実施例１】
【００１０】
図１は実施例１の断面図、図２は要部断面図である。筐体１には、斜めに配置されたハーフミラー２と、その下方に水平に置かれたモニタ３とが設けられている。ハーフミラー２の後方の筐体１のレンズ取付部４には、ハーフミラー２に対向してレンズ５が挿入され、レンズ５の更に後方に撮像部６が接続されている。
【００１１】
モニタ３は図示しないカメラで撮影された原稿を映し出し、その映像はハーフミラー２に写される。例えば、被写体でもあるキャスタはレンズ５から視線を外すことなく、ハーフミラー２に写された原稿を読むことができる。
【００１２】
ハーフミラー２はその外周に設けられた取付枠体７を用いて筐体１に固定されている。筐体１には、取付枠体７に対応するミラー取付部８が溶接等により隙間なく取り付けられている。取付枠体７はミラー取付部８に重ねられてボルトなどの締結部材９によって固定され、取付枠体７とミラー取付部８の間には、弾性体から成るシール部材１０が隙間なく挟み込まれている。なお、このシール部材１０は丸型・角型・かまぼこ型などの紐形状、或いはシート状とされている。
【００１３】
また、レンズ５の周囲には遮光リング１１が取り付けられ、レンズ取付部４はレンズ５と遮光リング１１によって遮蔽構造とされ、ハーフミラー２とレンズ５との間にレンズ取付部４を介して外部からの塵埃と光が侵入することを防止している。
【００１４】
この構成によれば、筐体１とハーフミラー２とレンズ５によって囲まれた空間を閉塞された空間とすることができ、プロンプタ装置の内部への塵埃の侵入を防止することができる。
【００１５】
なお、上述のハーフミラー２、レンズ５間の筐体１内の閉塞は、外部空間に対し完全に密閉する状態でなくともよく、撮影に影響のない程度の小さな塵埃は出入りが可能であっても支障はない。
【実施例２】
【００１６】
図３は実施例２の断面図である。筐体１のレンズ取付部４には、光を透過するフィルタから成り、防塵部材としても機能する光学部材２１が嵌め込まれ、固定部材２２により固定され、プロンプタ装置の内部は密閉されている。なお、以下の実施例においても、ハーフミラー２の周辺の防塵構造は実施例１と同様とされている。
【００１７】
この実施例２によれば、実施例１と同様の効果が得られると共に、レンズ５を装着していない場合でも、光学部材２１によりプロンプタ装置の内部への塵埃の侵入を防ぐことができる。
【実施例３】
【００１８】
図４は実施例３の断面図である。筐体１のレンズ取付部４に鏡筒３１が取り付けられ、光学部材２１は鏡筒３１に接着されている。鏡筒３１の外周にはねじが刻設されており、鏡筒３１は筐体１のレンズ取付部４にねじ込んで固定されている。
【００１９】
この実施例３によれば、実施例２と同様の効果が得られる共に、光学部材２１を鏡筒３１ごと着脱可能であるので、各種のフィルタに容易に交換することができる。
【実施例４】
【００２０】
図５、図６は実施例４の断面図である。筐体１のレンズ取付部４には開閉機構４１が開閉自在に設けられている。この開閉機構４１は固定板４２と可動板４３等から成り、これらは回転軸４４により回動自在に連結されている。固定板４２は筐体１に溶接或いはビス等で固定されており、可動板４３にはレンズ５側から開閉機構４１を開くための押上部材４５が設けられている。
【００２１】
図５はレンズ５が所定の位置にない状態を示しており、開閉機構４１の可動板４３は自重により下方に移動可能とされ、レンズ取付部４を遮蔽し塵埃の侵入を防止している。
【００２２】
図６はレンズ５が所定の場所に配置された状態を示している。レンズ５がレンズ取付部４に挿入される際に、遮光リング１１は押上部材４５を筐体１の内部に向けて押圧する。この押圧は回転軸４４を中心に可動板４３を回転させる力として伝達され、可動板４３はレンズ５の有効光線外に退避するよう押し上げられる。同時に、レンズ５及び遮光リング１１により、レンズ取付部４の隙間を閉塞することができ、レンズ装着時及びレンズ非装着時の双方において、プロンプタ装置の内部への塵埃の侵入を防ぐことができる。
【実施例５】
【００２３】
図７及び図８は実施例５の断面図及び正面図である。筐体１のレンズ取付部４の左右両側には上下方向にレール５１が設けられ、レンズ取付部４の上部にスクレーパ５２が配置されている。更に、可動板５３がレール５１に沿って、例えば手動で一点鎖線で示す上方に摺動するようにされている。スポンジやブラシから成るスクレーパ５２は、可動板５３が摺動する際に、可動板５３の内面に接する位置に取り付けられている。
【００２４】
レンズ５が所定の個所にない状態では、可動板５３は自重によって下方に降下し、レンズ取付部４を遮蔽する。この遮蔽に際して、可動板５３はレール５１に沿って下方に摺動するので、スクレーパ５２が可動板５３の面に付着した塵埃を除去する。
【００２５】
レンズ５を所定の位置に配した状態では、可動板５３はレール５１に沿って上方に摺動し、レンズ取付部４を開口するが、レンズ取付部４はレンズ５、遮光リング１１により遮蔽される。
【実施例６】
【００２６】
図９は実施例６の断面図である。筐体１の外部には、筐体１に設けられた開口部６１に、フィルタ６２を介してファン６３が取り付けられている。ファン６３は空気を送風し、フィルタ６２は塵埃の侵入を防止している。
【００２７】
ファン６３は筐体１とハーフミラー２で囲まれた空間内に外部空気を送り込み、空間の内圧を高めて外部からの塵埃の侵入を防止する。ファン６３は手動によりスイッチをオン／オフしても、レンズ５が所定の場所に配置されたことを検知して自動的にオン／オフするようにしてもよい。なお、空間内のレンズ取付部４における閉塞については、実施例１〜５の構造が適宜に使用できる。
【００２８】
以上、本発明の好ましい実施例１〜６について説明したが、本発明はこれらの実施例に限定されないことは云うまでもなく、特許請求の範囲内で種々の変形及び変更が可能である。
【符号の説明】
【００２９】
１  筐体
２  ハーフミラー
５  レンズ
６  撮像部
１０  シール部材
１１  遮光リング
２１  光学部材
３１  鏡筒
４１  開閉機構
４３、５３  可動板
５２  スクレーパ
６３  ファン
【図１】
2011044777.tif 000003
【図２】
2011044777.tif 000004
【図３】
2011044777.tif 000005
【図４】
2011044777.tif 000006
【図５】
2011044777.tif 000007
【図６】
2011044777.tif 000008
【図７】
2011044777.tif 000009
【図８】
2011044777.tif 000010
【図９】
2011044777.tif 000011